(57)【要約】【課題】  シート状食品に対する湿気対策を充分に施すことができて、シート状食品及び米飯加工食品の形状を崩すことなく円滑に取り出せるようにする。【解決手段】  中間部が短手方向に沿って所定幅で開封される開封領域２を有し且つシート状食品Ｎが開封領域２を跨ぐようにして載置される外フィルム１と、シート状食品Ｎを介して開封領域２を挟むように外フィルム１の両側に間隔を有して重ね合わせられると共に、対向辺部１１を除いてシート状食品Ｎの周りを囲むよう、外フィルム１にシールされる一対の内フィルム１０と、開封領域２に位置するシート状食品Ｎを覆うように両側の内フィルム１０に跨って設けられると共に、一端部が開封領域２の開封始端部６と反対側に貼着される介装フィルムとを備え、介装フィルムを、二枚のフィルム２０，２５の端部を貼り合わせて作製し、貼り合わせ端部を開封領域２の開封始端部６側に位置させる。【選択図】図１
2007238108.tif 000002
【特許請求の範囲】
【請求項１】
中間部が短手方向に沿って所定幅で開封される開封領域（２）を有し、且つシート状食品（Ｎ）が開封領域（２）を跨ぐようにして載置される外フィルム（１）と、
シート状食品（Ｎ）を介して開封領域（２）を挟むように外フィルム（１）の両側に間隔を有して重ね合わせられると共に、対向辺部（１１）を除いてシート状食品（Ｎ）の周りを囲むよう、外フィルム（１）にシールされる一対の内フィルム（１０）と、
開封領域（２）に位置するシート状食品（Ｎ）を覆うように両側の内フィルム（１０）に跨って設けられると共に、その一端部が開封領域（２）の開封始端部（６）と反対側に貼着される介装フィルムとを備え、
該介装フィルムの上に、開封領域（２）に沿うようにして米飯加工食品（Ｒ）を載置した後、該米飯加工食品（Ｒ）を内フィルム（１０）で挟むように外フィルム（１）を折り曲げて包装する米飯加工食品用包装体であって、
上記介装フィルムは、一枚のフィルムの折り返し、或いは二枚のフィルム（２０，２５）の端部の貼り合わせによって作製され、その折り返し端部、或いは貼り合わせ端部が開封領域（２）の開封始端部（６）側に位置するよう設けられてなることを特徴とする米飯加工食品用包装体。
【請求項２】
介装フィルムは、開封領域（２）よりも幅狭の継ぎフィルム（２０）と、開封領域（２）よりも幅広のセンターフィルム（２５）とで構成され、継ぎフィルム（２０）の一端部が開封領域（２）の開封終端部（７）側に貼着されると共に、他端部が開封始端部（６）側に位置し、さらに、継ぎフィルム（２０）の他端部にセンターフィルム（２５）の一端部が貼り合わされてなることを特徴とする請求項１に記載の米飯加工食品用包装体。
【請求項３】
各内フィルム（１０）には、折り返されるようにして米飯加工食品（Ｒ）に当接する当接片部（１３）が、内フィルム（１０）の各対向辺部（１１）からそれぞれ延設されてなることを特徴とする請求項１又は２に記載の米飯加工食品用包装体。
【請求項４】
内フィルム（１０）の当接片部（１３）の両側には、その延設方向に沿って切り込み（１５）が形成されてなる請求項１乃至３のいずれか１項に記載の米飯加工食品用包装体。
【請求項５】
開封領域（２）には、米飯加工食品（Ｒ）の幅寸法に合わせてその開封方向に沿って一対の開封用条体（３）が設けられてなることを特徴とする請求項１乃至４のいずれか１項に記載の米飯加工食品用包装体。
【請求項６】
開封領域（２）の両端部が、開封始端部（６）及び開封終端部（７）となるよう、且つ米飯加工食品（Ｒ）を包装する際に折り曲げられるよう、切り込み（５）が形成されてなることを特徴とする請求項１乃至５のいずれか１項に記載の米飯加工食品用包装体。
【請求項７】
センターフィルム（２５）には、米飯加工食品（Ｒ）の幅寸法に合わせて、且つその長さ方向に沿って一対の開封用条体（２６）が設けられてなることを特徴とする請求項２乃至６のいずれか１項に記載の米飯加工食品用包装体。
【請求項８】
センターフィルム（２５）と内フィルム（１０，１０）との重合部には、その長さ方向に沿って一対のシール部（１４，２７）が設けられてなることを特徴とする請求項２乃至６のいずれか１項に記載の米飯加工食品用包装体。
【請求項９】
センターフィルム（２５）の両シール部（１４，２７）の内側に一対の開封用条体（２６）が設けられ、さらに、シール部（１４，２７）と開封用条体（２６）との間に、継ぎフィルム（２０）とセンターフィルム（２５）との貼り合わせ端部が開封起点となるよう切り込み（２８）が形成されてなることを特徴とする請求項８に記載の米飯加工食品用包装体。
【請求項１０】
請求項１乃至９のいずれか１項に記載の米飯加工食品用包装体によって作製された米飯加工食品用包装袋であって、
米飯加工食品用包装体の開封領域（２）を底部に位置させた状態で、米飯加工食品（Ｒ）を内フィルム（１０）で挟むように折り曲げられた外フィルム（１）が、開封領域（２）の両端部から内側に折り曲げられて有底筒状に形成されると共に、その上部開口が、外フィルム（１）の対向端部を重ね合わせて帯状にシールされてなることを特徴とする米飯加工食品用包装袋。
【発明の詳細な説明】
【技術分野】
【０００１】
本発明は、シート状食品が内部に収容された米飯加工食品用包装体によって、米飯加工食品が包装された場合において、米飯加工食品用包装体を開封した際、開封口から露出した米飯加工食品及びシート状食品の一部を摘んだ状態で、米飯加工食品用包装体から米飯加工食品及びシート状食品を引き出した後、米飯加工食品とシート状食品とを合体させるようにした米飯加工食品用包装体及び米飯加工食品用包装袋に関する。
【背景技術】
【０００２】
従来のこの種の米飯加工食品用包装体は、左右の両側に設けられた一対の側面巻装部、該両側面巻装部の間に設けられた底面巻装部、該底面巻装部に形成された切断片、該切断片にその一端部が貼着された引出し片を有する外包装シートと、該外包装シートの両側面巻装部に貼着された内包装シートと、外包装シートと内包装シートによって形成された袋状の海苔収納部とから構成されたものが公知になっている。
【０００３】
外包装シートは、横長で、その略中央部（底面巻装部）に短手方向に沿って三角おにぎりの矩形面が載置される。
【０００４】
側面巻装部は、台形状の三角面被包部と、矩形状の三角面被包部とを備え、三角おにぎりの対向する三角面及び斜面を被包する大きさを有している。
【０００５】
底面巻装部は、三角おにぎりの矩形面を被包可能な大きさを有している。
【０００６】
切断片は、一端部が外包装シートの一方の長辺より突出しており、外包装シートから切り離す際の把持部となっている。さらに、切断片の両側には、該両側に沿ってカットテープが設けられている。そして、把持部を、他方の長辺に向かって引っ張ると、両カットテープによって切断片の両側が外包装シートから切り離される。
【０００７】
引出し片の一端部は、切断片の把持部と反対側に貼着されており、切断片と引出し片との隙間に海苔が収納されると共に、引出し片の上面に三角おにぎりの矩形面が載置される。そして、引出し片は、切断片が切り離された後のさらなる引き操作によって、三角おにぎりと海苔との隙間から引き抜かれる。つまり、三角おにぎりの底面の一部が露呈することになる。
【０００８】
内包装シートは、海苔を外包装シートの長辺に沿って挿入できるよう、その開口部が外包装シートの中央部において対向して形成されている。
【０００９】
そして、三角おにぎりを包装する場合は、外包装シートの底面巻装部（引出し片の上面）に、該外包装シートの短手方向に沿って三角おにぎりの矩形面を載置し、両側の側面巻装部を立ち上げると共に、側面巻装部の両縁部を折り曲げて、三角おにぎりの両三角面及び二つの斜面を包装してテープで止める。
【００１０】
一方、包装体を開封する場合は、切断片の把持部を、反対側の長辺に向かって引っ張ると同時に、引出し片を引き抜く。これによって、外包装シートの両側の側面巻装部が分断されると共に、三角おにぎりの底面の一部が露呈する。その後、テープを剥がして、露呈した三角おにぎりの底部の一部を把持しながら、分断された両側の側面巻装部を上方に引き抜いて、海苔全体を露呈させて三角おにぎりを海苔で包む。
【特許文献１】特開２００５−２０６２０７号公報
【発明の開示】
【発明が解決しようとする課題】
【００１１】
しかしながら、上記米飯加工食品の包装体の場合、引出し片の一端部が切断片の端部に貼着しているだけなので、引出し片と両側の内包装シートとの境界部が短手方向に沿って密封されておらず、海苔への湿気対策が不充分であるという問題がある。
【００１２】
また、開封する際、三角おにぎりの二つの三角面に内包装シートの側面巻装部が粘着しているので、側面巻装部を上方に引っ張ることによって、三角おにぎりの表面が側面巻装部の引き方向に引きずられて、三角おにぎりが割れてしまい、三角おにぎりをうまく取り出せないという問題がある。
【００１３】
そこで、本発明は、上記問題点を鑑み、シート状食品に対する湿気対策を充分に施すことができて、シート状食品及び米飯加工食品の形状を崩すことなく円滑に取り出せる米飯加工食品用包装体及び米飯加工食品用包装袋を提供することを目的とする。
【課題を解決するための手段】
【００１４】
前記課題を解決するために、本発明に係る米飯加工食品用包装体は、中間部が短手方向に沿って所定幅で開封される開封領域２を有し、且つシート状食品Ｎが開封領域２を跨ぐようにして載置される外フィルム１と、シート状食品Ｎを介して開封領域２を挟むように外フィルム１の両側に間隔を有して重ね合わせられると共に、対向辺部１１を除いてシート状食品Ｎの周りを囲むよう、外フィルム１にシールされる一対の内フィルム１０と、開封領域２に位置するシート状食品Ｎを覆うように両側の内フィルム１０に跨って設けられると共に、その一端部が開封領域２の開封終端部７側に貼着される介装フィルムとを備え、該介装フィルムの上に、開封領域２に沿うようにして米飯加工食品Ｒを載置した後、該米飯加工食品Ｒを内フィルム１０で挟むように外フィルム１を折り曲げて包装する米飯加工食品の包装体であって、上記介装フィルムは、一枚のフィルムの折り返し、或いは二枚のフィルム２０，２５の端部の貼り合わせによって作製され、その折り返し端部、或いは貼り合わせ端部が開封領域２の開封始端部６側に位置するよう設けられてなることを特徴とする。
【００１５】
したがって、開封領域２の開封始端部６を摘んで反対側（開封終端部７側）に向かって引っ張ると、外フィルム１は、開封領域２が開封されることによって両側に分断される。外フィルム１が分断されることで、開封された開封領域２からシート状食品Ｎ及び米飯加工食品Ｒの一部が露出すると共に、外フィルム１と内フィルム１０とによって袋状部が形成される。即ち、シート状食品Ｎ及び米飯加工食品Ｒの露出部を摘むことができる一方、外フィルム１と内フィルム１０による袋状部からシート状食品Ｎ及び米飯加工食品Ｒを容易に引き出すことができる。つまり、米飯加工食品Ｒとシート状食品Ｎとを簡単に合体させることができる。
【００１６】
しかも、介装フィルムを、一枚のフィルムの折り返し、或いは二枚のフィルム２０，２５の端部の貼り合わせによって作製し、その折り返し端部、或いは貼り合わせ端部を開封領域２の開封始端部６側に位置するよう設けたので、開封領域２を開封した際、折り返し端部、或いは貼り合わせ端部が米飯加工食品Ｒに触れることなく移動する、即ち介装フィルムが米飯加工食品Ｒに対して捲り剥がれるように引き出される。つまり、シート状食品Ｎ及び米飯加工食品Ｒの形状を崩すことなく円滑に介装フィルムを引き出せる。
【００１７】
なお、ここでいう米飯加工食品Ｒとは、三角形状や樽形状など握られた各種おにぎりの他、鮨なども含むものとする。また、シート状食品Ｎとは、シート状の海苔の他、畳鰯なども含むものとする。
【００１８】
また、介装フィルムを、開封領域２よりも幅狭の継ぎフィルム２０と、開封領域２よりも幅広のセンターフィルム２５とで構成し、継ぎフィルム２０の一端部を開封領域２の開封終端部７側に貼着すると共に、他端部を開封始端部６側に位置し、さらに、継ぎフィルム２０の他端部にセンターフィルム２５の一端部を貼り合わせるようにしてもよい。
【００１９】
この場合、幅狭の継ぎフィルム２０は、センターフィルム２５を引き出す役目を担い、幅広のセンターフィルム２５はシート状食品Ｎに対して外気や米飯加工食品Ｒの水分による湿気対策を施す役目を担っている。
【００２０】
さらに、折り返されるようにして米飯加工食品Ｒに当接する当接片部１３を、各内フィルム１０の各対向辺部１１からそれぞれ延設して形成するのがよい。
【００２１】
従来においては、米飯加工食品Ｒを引き出す際、米飯加工食品Ｒが内フィルム１０に対して面接触することで摩擦抵抗が大きくなり、米飯加工食品Ｒが潰れてしまう。しかし、内フィルム１０の当接片部１３が折り返すようにして米飯加工食品Ｒに当接するので、該当接片部１３の折り返し端部が、米飯加工食品Ｒを引き出す際に米飯加工食品Ｒに触れることなく移動するので、米飯加工食品Ｒと当接片部１３との摩擦抵抗が非常に小さくなり、米飯加工食品Ｒを潰すことなく円滑に引き出せる。
【００２２】
加えて、内フィルム１０の当接片部１３の両側に、その延設方向に沿って切り込み１５を形成するようにしてもよい。
【００２３】
そうすれば、米飯加工食品Ｒを引き出す際、米飯加工食品Ｒに当接している部位のみが有効に作用することになる。
【００２４】
また、開封領域２に、米飯加工食品Ｒの幅寸法に合わせてその開封方向に沿って一対の開封用条体３を設けるのがよい。
【００２５】
この場合、米飯加工食品用包装体の開封領域２が米飯加工食品Ｒの幅寸法に合わせてあるので、開封用条体３に略均一に力が係るようになり、開封領域２を所定幅できれいに開封できる。
【００２６】
さらに、開封領域２の両端部が、開封始端部６及び開封終端部７となるよう、且つ米飯加工食品Ｒを包装する際に外フィルム１を折り曲げられるよう、切り込み５を形成するのがよい。
【００２７】
そうすれば、開封領域２を開封しやすくなると共に、最後まできれいに破断できる。一方、米飯加工食品Ｒを包装する場合において、切り込み５によって外フィルム１を容易に且つきれいに折り曲げることができ、曲げ応力によって米飯加工食品用包装袋の直立した側面を形成できるようになり、型くずれすることなくて良好な外観となる。
【００２８】
加えて、センターフィルム２５に、米飯加工食品Ｒの幅寸法に合わせて、且つその長さ方向に沿って一対の開封用条体２６を設けるようにしてもよい。
【００２９】
この場合、米飯加工食品Ｒの一面をきれいに露出させることができる。
【００３０】
センターフィルム２５と内フィルム１０，１０との重合部に、その長さ方向に沿って一対のシール部１４，２７を設けるのがよい。
【００３１】
そうすることで、シート状食品Ｎに対してより確実な湿気対策を施すことができる。
【００３２】
センターフィルム２５の両シール部１４，２７の内側に一対の開封用条体２６を設け、さらに、シール部１４，２７と開封用条体２６との間に、継ぎフィルム２０とセンターフィルム２５との貼り合わせ端部が開封起点となるよう切り込み２８を形成するようにしてもよい。
【００３３】
そうすれば、センターフィルム２５の両シール部１４，２７と、開封用条体２６との間を略直線状に破断でき、不完全な開封状態、即ち開封終端部７になるにしたがって幅狭になり、開封領域２を最後まできれいに破断できないような状態を防止できる。
【００３４】
本発明の米飯加工食品用包装袋は、上述した米飯加工食品用包装体の開封領域２を底部に位置させた状態で、米飯加工食品Ｒを内フィルム１０で挟むように折り曲げられた外フィルム１が、開封領域２の両端部から内側に折り曲げられて有底筒状に形成されると共に、その上部開口が、外フィルム１の対向端部を重ね合わせて帯状にシールされてなることを特徴とする。
【００３５】
この場合、外フィルムが有底筒状に形成されるので、柔らかくふっくらとした米飯加工食品Ｒの周りを囲むように包装されるので、包装する際に余分な力が米飯加工食品Ｒに加わることなく保護できると共に、見栄えよく包装できる。
【００３６】
例えば、米飯加工食品が三角おにぎりＲの場合、外フィルム１を有底筒状にしてその周りを囲むようにすれば、三角おにぎりＲの両傾斜面との間に空間が形成されることになり、米飯加工食品用包装袋に外力が加わっても三角おにぎりＲへの影響を極力回避できるようになる。
【発明の効果】
【００３７】
以上のように、本発明によれば、シート状食品に対して、外フィルムの短手方向に開封領域を形成し、この開封領域に、折り返しや貼り合わせによって形成された介装フィルムを設けるようにしたので、シート状食品及び米飯加工食品の形状を崩すことなく円滑に取り出せる効果がある。
【００３８】
しかも、介装フィルムと両側の内フィルムの重合部をシールすれば、シート状食品に対して湿気対策を充分に施すことができる。さらに、米飯加工食品の周りを囲むように外フィルムを有底筒状にして包装することで、柔らかいふっくらとした米飯加工食品をきれいに包装するのに有効である。
【発明を実施するための最良の形態】
【００３９】
以下、本発明の一実施形態に係る米飯加工食品用包装体及び米飯加工食品用包装袋について、添付図面を参照しつつ説明する。
【００４０】
まず、本実施形態に係る米飯加工食品用包装体の構成は、図１〜図４に示すように、短手方向に沿って開封される開封領域２を有する平面視矩形状の外フィルム１と、該外フィルム１の両側に、シート状食品Ｎを介して重ね合わされた一対の内フィルム１０と、後述する外フィルム１の開封領域２に設けられた介装フィルムとから構成されている。なお、便宜上平面から見た各図面の上下左右を米飯加工食品用包装体及び米飯加工食品用包装袋の上下左右とする。
【００４１】
外フィルム１は、その長手方向中央部に短手方向に沿って設けられた帯状の開封領域２と、該開封領域２の両側に、その長さ方向に沿って設けられた開封用条体としての一対のカットテープ３と、開封領域２を除いた左右の両側部において、その側縁部、上縁部、及び下縁部に亘って設けられたコ字形状の貼着部４と、両カットテープ３の上端部の左右の外側、及び下端部の左右の外側にそれぞれ形成された一対の切り込み５とを備えている。
【００４２】
そして、両カットテープ３の間の距離は、米飯加工食品Ｒの幅寸法に略等しくなるよう設定されている。さらに、各切り込み５によって、開封領域２の開封始端部６、及び開封終端部７が形成され、開封終端部７の近傍に、後述する介装フィルムとしての継ぎフィルム２０の一端部が貼着される。
【００４３】
内フィルム１０は、開封領域２を挟むように外フィルム１の両側に配され、互いの対向辺部１１を除く周縁部が熱溶着されている。即ち、互いの対向辺部１１は開口部となっているので、該開口部に連通する外フィルム１と内フィルム１０との隙間がシート状食品Ｎの収納間隙部１２となっている。つまり、開封領域２においては、シート状食品Ｎは露出しており、その上に、後述する介装フィルムとしての継ぎフィルム２０、センターフィルム２５が順に重ね合わさっている。
【００４４】
さらに、両内フィルム１０には、互いの対向辺部１１から折り返されるようにして米飯加工食品に当接する当接片部１３が、各対向辺部１１から延設されている。この当接片部１３には、その上部及び下部にその延設方向に沿って一対の切り込み１５が形成されると共に、上述したセンターフィルム２５との重合部に線状のシール部１４が設けられている。よって、当接片部１３の中央部、即ちシール部１４と切り込み１５とで囲まれる四角形状の領域が米飯加工食品Ｒに面接触することになるが、開封の際には、米飯加工食品Ｒが引き出されるにしたがって、当接片部１３は、その折り返し端部によって米飯加工食品Ｒに対して略点接触するように移動する。即ち、米飯加工食品Ｒの表面から捲り剥がれるようになる。
【００４５】
なお、シート状食品Ｎの形状としては、矩形状に限定されるものではなく、例えば八角形であってもよく、少なくともいずれか一側部が等脚台形状や半円形状であってもよい。要するに、シート状食品Ｎの形状としては、米飯加工食品Ｒの全体を略包装できて、外フィルム１と内フィルム１０との袋状部から引き出しやすい形状であればよい。
【００４６】
介装フィルムは、その一端部が貼着された継ぎフィルム２０と、該継ぎフィルム２０の他端部にその一端部が貼着された継ぎフィルム２０よりも幅広のセンターフィルム２５とで構成され、継ぎフィルム２０は、外フィルム１の両カットテープ３の間の距離よりもやや小さい幅寸法と、上側の切り込み、及び下側の切り込み５との間に位置する程度の長さ寸法を有している。
【００４７】
センターフィルム２５は、その幅寸法が、両内フィルム１０の当接片部１３の端縁部に重合される程度の大きさで、長さ寸法が継ぎフィルム２０の長さ寸法と略同一で、継ぎフィルム２０の他端部にセンターフィルム２５の一端部が貼り合わされて、他端部が自由端になっている。即ち、外フィルム１の開封領域２と、継ぎフィルム２０と、センターフィルム２５とが側面視略Ｚ字形状になるよう貼着されている。
【００４８】
さらに、センターフィルム２５には、その長さ方向に亘って平行する一対のカットテープ２６が貼着されている。両カットテープ２６の間の長さ寸法は、米飯加工食品Ｒの幅寸法と略同一になっている。
【００４９】
そして、両カットテープ２６の外側には、センターフィルム２５の長さ方向に亘って平行する一対の線状のシール部２７が設けられている。このシール部２７は、外気や米飯加工食品Ｒの水分による湿気がシート状食品Ｎへ移行しないようにしている。
【００５０】
加えて、両カットテープ２６と両シール部２７との間には一対の切り込み２８が形成されている。この切り込み２８によって、開封始端部６及び開封終端部７が明確になると共に、開封開始から終了まで、略一直線状にセンターフィルム２５が分断されて完全開封できるようになる。
【００５１】
つぎに、米飯加工食品用包装体の包装方法、及びこれによって作製される米飯加工食品用包装袋、並びに該米飯加工食品用包装袋の開封方法について説明する。なお、米飯加工食品として三角おにぎりＲを使用し、シート状食品として、平面視矩形状に切断加工されたシート状の海苔Ｎを使用する。
【００５２】
まず、米飯加工食品用包装体は、海苔Ｎの両側部が外フィルム１と内フィルム１０との収納間隙部１２に挿入されると共に、開封領域２に位置した海苔Ｎの上に継ぎフィルム２０、センターフィルム２５が重ね合わさり、さらに、センターフィルム２５と両側の内フィルム１０との重合部がシールされて、海苔Ｎ全体が密封された状態になっている一方、内フィルム１０の当接片部１３が折り返されて、継ぎフィルム２０の両側に位置していると共に、外フィルム１の両カットテープ３とセンターフィルム２５のカットテープ２６の位置とが重なった状態になっている。各カットテープ３，２６が重なった位置にある理由としては、各カットテープ３，２６に略均一に力が加わって米飯加工食品の底面をきれいに露出させるためである。
【００５３】
そして、海苔Ｎは、外フィルム１、両内フィルム１０、及びセンターフィルム２５によって密封され、外気や三角おにぎりＲの水分による湿気が遮断されているので、パリパリとした新鮮な食感を得ることができる。
【００５４】
つぎに、図５（イ）に示すように、内フィルム１０の当接片部１３が折り返された状態で、センターフィルム２５の上にその長さ方向に沿って三角おにぎりＲを載置する。その後、内フィルム１０で三角おにぎりＲの三角面を挟むように、外フィルム１の両側部を折り曲げて立ち上げる。これによって、両当接片部１３が三角おにぎりＲの三角面に折り返された状態で当接することになる。
【００５５】
その後、図５（ロ）に示すように、立ち上げた上縁部及び下縁部を互いに内側に折り曲げ、上縁部及び下縁部の貼着部を重ね合わせて、三角おにぎりＲの周囲を囲繞し、矩形状の上部開口を有する有底角筒状に形成する。この際、底部の両端には、切り込み５を有する矩形状の耳部（開封始端部６及び開封終端部７）が突出して形成される。
【００５６】
つまり、立ち上げた上縁部及び下縁部を互いに内側に折り曲げることで、曲げ応力が作用して折れ曲がることなく起立した姿勢を維持できる一方、上縁部及び下縁部の貼着部を重ね合わせることで、この部分に外力が加わっても変形しにくくなり、三角おにぎりＲに外力が及びにくくなっている。
【００５７】
そして、図６（イ）に示すように、上部開口の対向する長辺部を重ね合わせて帯状にシールして上部開口を閉塞する。この帯状のシール部は、三角おにぎりＲ及び海苔Ｎを引き出す際の摘み部となる。一方、図６（ロ）に示すように、底部の両耳部は上向きに折り曲げられてポイントシール１６によって仮止めされる。
【００５８】
このようにして包装された本実施形態に係る米飯加工食品用包装袋は、底面が矩形面であることから外フィルム１が折り曲げやすく、折り曲げた角部が尖鋭であることに加えて、側面視五角形の柱状となっており、陳列棚に陳列された際も見栄えがよい。
【００５９】
つぎに米飯加工食品用包装袋を開封する場合、開封始端部６を摘んで、開封終端部７側に引っ張ると、両カットテープ３によって外フィルム１の開封領域２が分断されて開封される。この開封領域２が開封された後、継ぎフィルム２０を介してセンターフィルム２５が引き出される。即ち、図４（ロ）に示すように、センターフィルム２５の接触面が三角おにぎりＲの表面から徐々に離間するよう略点接触した状態で引き出される。つまり、センターフィルム２５が三角おにぎりＲの表面から捲り剥がれるように引き出される。
【００６０】
そして、開封領域２が開封された後、継ぎフィルム２０、センターフィルム２５が順次引き出されると、開封領域２において、海苔Ｎの上に三角おにぎりＲが載置される。一方、開封領域２が開封された際、海苔Ｎの一部が露出することになり、この露出部と分断された外フィルム１との間に指を挿入し、三角おにぎりＲの一部を把持した状態で、袋状になっている外フィルム１と内フィルム１０との隙間から海苔Ｎを引き出す。
【００６１】
この際、三角おにぎりＲの三角面に、折り返すようにして当接している当接片部１３が、その折り返し端部を起点にして三角おにぎりＲの三角面を移動する。即ち、当接片部１３が三角おにぎりＲの三角面からきれいに捲り剥がれる。つまり、三角おにぎりＲの形状を崩すことなく、米飯加工食品用包装体から容易に引き出すことができて、両者を合体させて食せる状態になる。
【００６２】
なお、上記実施形態の場合、内フィルム１０の当接片部１３に切り込み１５を形成するようにしたが、図７に示すように、当接片部１３の両側に切欠部１７を設けるようにしてもよい。この場合も、切り込み１５を形成した場合と同様の作用効果を奏する。即ち三角おにぎりＲに当接した中央部が、三角おにぎりＲが引き出されるにしたがって、捲り剥がれるようになるので、三角おにぎりＲの形を崩すことなく円滑に取り出せる。
【００６３】
また、上記実施形態の場合、開封用条体としてカットテープ３を用いたが、糸であってもよい。但し、海苔Ｎなどのシート状食品への湿気対策に対応できるものである必要がある。
【００６４】
さらに、上記実施形態の場合、外フォルム１、内フィルム１０、継ぎフィルム２０、センターフィルム２５は無色透明としたが、好みの色に着色したり、模様を印刷したりするようにしてもよい。加えて、継ぎフィルム２０としては、センターフィルム２５を、海苔Ｎなどのシート状食品に支障きたすことなく円滑に引き出すことができる形状や大きさであればよい。
【図面の簡単な説明】
【００６５】
【図１】本発明の一実施形態に係る米飯加工食品用包装体を示す分解斜視図である。
【図２】本発明の一実施形態に係る米飯加工食品用包装体の平面図である。
【図３】本発明の一実施形態に係る米飯加工食品用包装体を示す切断上面図である。
【図４】（イ）は、本発明の一実施形態に係る米飯加工食品用包装体を示す切断側面図、（ロ）は、センターフィルムが米飯加工食品から捲り剥がれる状態を示した図である。
【図５】（イ）、（ロ）は、図１の米飯加工食品用包装体の包装方法を示す説明図である。
【図６】（イ）、（ロ）は、図１の米飯加工食品用包装体の包装方法を示す説明図である。
【図７】図１の内フィルムの変形例を示した斜視図である。
【符号の説明】
【００６６】
１…外フィルム、２…開封領域、３…カットテープ（開封用条体）、４…貼着部、５…切り込み、６…開封始端部、７…開封終端部、１０…内フィルム、１１…対向辺部、１２…収納間隙部、１３…当接片部、１４…シール部、１５…切り込み、１６…ポイントシール、１７…切欠部、２０…継ぎフィルム（介装フィルム）、２５…センターフィル（介装フィルム）、２６…カットテープ（開封用条体）、２７…シール部、２８…切り込み、Ｎ…シート状食品（海苔）、Ｒ…米飯加工食品（三角おにぎり）
【図１】
2007238108.tif 000003
【図２】
2007238108.tif 000004
【図３】
2007238108.tif 000005
【図４】
2007238108.tif 000006
【図５】
2007238108.tif 000007
【図６】
2007238108.tif 000008
【図７】
2007238108.tif 000009